【手続補正書】
【提出日】平成29年2月22日(2017.2.22)
【手続補正１】
【補正対象書類名】明細書
【補正対象項目名】発明の名称
【補正方法】変更
【補正の内容】
【発明の名称】画像形成装置及びその制御方法、並びにプログラム  
【手続補正２】
【補正対象書類名】明細書
【補正対象項目名】０００１
【補正方法】変更
【補正の内容】
【０００１】
本発明は、画像形成装置及びその制御方法、並びにプログラムに関する。
【手続補正３】
【補正対象書類名】明細書
【補正対象項目名】００１２
【補正方法】変更
【補正の内容】
【００１２】
本発明は、アプリケーションの動作に関する設定操作の利便性を向上させた画像形成装置及びその制御方法、並びにプログラムを提供することを目的とする。
【手続補正４】
【補正対象書類名】明細書
【補正対象項目名】００１３
【補正方法】変更
【補正の内容】
【００１３】
上記目的を達成するために、請求項１記載の画像形成装置は、複数のアプリケーションを実行可能な画像形成装置であって、前記複数のアプリケーションそれぞれのジョブの設定値を、ユーザの識別情報に対応づけて記憶する記憶手段と、ユーザを認証する認証手段と、前記複数のアプリケーションの中から１つのアプリケーションの選択を受け付ける選択手段と、前記選択手段により選択されたアプリケーションのジョブの設定値であって、前記認証手段により認証されたユーザの識別情報に対応づけて記憶された設定値を前記記憶手段から読み出す読み出し手段と、前記選択手段により選択されたアプリケーションのジョブの設定を受け付けるための設定画面であって、前記読み出し手段により読み出された設定値が反映された設定画面を表示するように制御する表示制御手段と、を有することを特徴とする。
また、請求項８記載の画像形成装置は、画像形成装置であって、ユーザを前記画像形成装置にログインさせるためのログイン処理を実行するログイン処理手段と、前記画像形成装置にログインしたユーザの操作に基づいて、複数のアプリケーションそれぞれのジョブの設定を受け付けるための設定画面を表示可能な表示制御手段と、前記ユーザがログアウト前に最後に使用していたアプリケーションを示す情報を記憶すると共に、当該アプリケーションの前記設定画面を介して設定されたジョブの設定値を所定のタイミングで記憶する記憶手段と、を有し、前記表示制御手段は、前記ユーザがログアウトした後、当該ユーザが再ログインした際に、前記記憶手段により記憶された情報に基づき、当該ユーザが前回のログアウト前に最後に使用していたアプリケーションのジョブの設定を受け付けるための設定画面であって、記憶されたジョブの設定値を反映した設定画面を表示することを特徴とする。
【手続補正５】
【補正対象書類名】明細書
【補正対象項目名】００１４
【補正方法】変更
【補正の内容】
【００１４】
上記目的を達成するために、請求項１５記載の画像形成装置の制御方法は、複数のアプリケーションを実行可能な画像形成装置の制御方法であって、前記複数のアプリケーションそれぞれのジョブの設定値を、ユーザの識別情報に対応づけて記憶する記憶工程と、ユーザを認証する認証工程と、前記複数のアプリケーションの中から１つのアプリケーションの選択を受け付ける選択工程と、選択されたアプリケーションのジョブの設定値であって、認証されたユーザの識別情報に対応づけて記憶された設定値を読み出す読み出し工程と、選択されたアプリケーションのジョブの設定を受け付けるための設定画面であって、読み出された設定値が反映された設定画面を表示するように制御する表示制御工程と、を有することを特徴とする。
また、請求項１６記載の画像形成装置の制御方法は、画像形成装置の制御方法であって、前記画像形成装置にログインしたユーザの操作に基づいて、複数のアプリケーションそれぞれのジョブの設定を受け付けるための設定画面を表示可能な表示制御工程と、前記ユーザがログアウト前に最後に使用していたアプリケーションを示す情報を記憶すると共に、当該アプリケーションの前記設定画面を介して設定されたジョブの設定値を所定のタイミングで記憶する記憶工程と、を有し、前記表示制御工程では、前記ユーザがログアウトした後、当該ユーザが再ログインした際に、記憶された情報に基づき、当該ユーザが前回のログアウト前に最後に使用していたアプリケーションのジョブの設定を受け付けるための設定画面であって、記憶されたジョブの設定値を反映した設定画面が表示されることを特徴とする。
【手続補正６】
【補正対象書類名】明細書
【補正対象項目名】００１５
【補正方法】変更
【補正の内容】
【００１５】
上記目的を達成するために、請求項１７記載のプログラムは、コンピュータを、請求項１から１４のいずれか１項に記載の画像形成装置として動作させることを特徴とする。
【手続補正７】
【補正対象書類名】特許請求の範囲
【補正対象項目名】全文
【補正方法】変更
【補正の内容】
【特許請求の範囲】
【請求項１】
複数のアプリケーションを実行可能な画像形成装置であって、
前記複数のアプリケーションそれぞれのジョブの設定値を、ユーザの識別情報に対応づけて記憶する記憶手段と、
ユーザを認証する認証手段と、
前記複数のアプリケーションの中から１つのアプリケーションの選択を受け付ける選択手段と、
前記選択手段により選択されたアプリケーションのジョブの設定値であって、前記認証手段により認証されたユーザの識別情報に対応づけて記憶された設定値を前記記憶手段から読み出す読み出し手段と、
前記選択手段により選択されたアプリケーションのジョブの設定を受け付けるための設定画面であって、前記読み出し手段により読み出された設定値が反映された設定画面を表示するように制御する表示制御手段と、
を有することを特徴とする画像形成装置。
【請求項２】
ユーザの識別情報に対応付けてジョブの設定値を記憶するか否かを、アプリケーション毎に設定する第１の設定手段を有し、
前記第１の設定手段による設定内容に従って、ユーザの識別情報に対応付けてジョブの設定値を前記記憶手段に記憶するか否かが切り替わることを特徴とする請求項１記載の画像形成装置。
【請求項３】
ジョブの設定値を記憶する条件を設定する第２の設定手段を有し、
前記記憶手段は、前記第２の設定手段により設定された条件に従って、ジョブの設定値を記憶することを特徴とする請求項１または２記載の画像形成装置。
【請求項４】
前記条件は、ジョブの開始時、他のアプリケーションへの画面遷移時、キャンセルキーの押下時、オートクリア時の少なくとも何れか１つであることを特徴とする請求項３記載の画像形成装置。
【請求項５】
前記認証手段により認証されたユーザの識別情報に対応付けて前記選択手段により選択されたアプリケーションのジョブの設定値が記憶されているか否かを判定する判定手段を有し、
前記表示制御手段は、
前記認証手段により認証されたユーザの識別情報に対応付けて前記選択手段により選択されたアプリケーションのジョブの設定値が記憶されていると前記判定手段によって判定された場合、当該設定値が反映された前記設定画面を表示し、
前記認証手段により認証されたユーザの識別情報に対応付けて前記選択手段により選択されたアプリケーションのジョブの設定値が記憶されていないと前記判定手段によって判定された場合、デフォルトの設定値が反映された前記設定画面を表示することを特徴とする請求項１から４のいずれか１項に記載の画像形成装置。
【請求項６】
前記表示制御手段は、前記認証手段によるユーザの認証成功に従って、前記複数のアプリケーションの中から１つのアプリケーションを選択するための選択画面を表示し、
前記選択手段は、前記選択画面を介して１つのアプリケーションの選択を受け付けることを特徴とする請求項１から５のいずれか１項に記載の画像形成装置。
【請求項７】
前記複数のアプリケーションは、原稿上の画像を読み取ることにより生成された画像データに基づいて印刷を実行するコピーアプリケーションと、原稿上の画像を読み取ることにより生成された画像データを外部に送信する送信アプリケーションと、を少なくとも含むことを特徴とする請求項１から６のいずれか１項に記載の画像形成装置。
【請求項８】
画像形成装置であって、
ユーザを前記画像形成装置にログインさせるためのログイン処理を実行するログイン処理手段と、
前記画像形成装置にログインしたユーザの操作に基づいて、複数のアプリケーションそれぞれのジョブの設定を受け付けるための設定画面を表示可能な表示制御手段と、
前記ユーザがログアウト前に最後に使用していたアプリケーションを示す情報を記憶すると共に、当該アプリケーションの前記設定画面を介して設定されたジョブの設定値を所定のタイミングで記憶する記憶手段と、を有し、
前記表示制御手段は、前記ユーザがログアウトした後、当該ユーザが再ログインした際に、前記記憶手段により記憶された情報に基づき、当該ユーザが前回のログアウト前に最後に使用していたアプリケーションのジョブの設定を受け付けるための設定画面であって、記憶されたジョブの設定値を反映した設定画面を表示することを特徴とする画像形成装置。
【請求項９】
前記記憶手段は、ユーザの識別情報に対応づけて、当該ユーザがログアウト前に最後に使用していたアプリケーションを示す情報と、当該アプリケーションのジョブの設定値と、を記憶することを特徴とする請求項８記載の画像形成装置。
【請求項１０】
ユーザがログインした際に、ログアウト前に最後に使用していたアプリケーションを示す情報が当該ログインしたユーザのユーザ識別情報と対応付けて前記記憶手段に記憶されているか否かを判定する判定手段を有し、
表示制御手段は、
前記判定手段により、ログアウト前に最後に使用していたアプリケーションを示す情報が当該ログインしたユーザのユーザ識別情報と対応付けて記憶されていると判定された場合は、記憶された情報により示されるアプリケーションのジョブの設定を受け付けるための設定画面を表示し、
前記判定手段により、ログアウト前に最後に使用していたアプリケーションを示す情報が当該ログインしたユーザのユーザ識別情報と対応付けて記憶されていないと判定された場合は、前記複数のアプリケーションの中から使用するアプリケーションを選択するための選択画面を表示することを特徴とする請求項９記載の画像形成装置。
【請求項１１】
ジョブの設定値を記憶するか否かを、アプリケーション毎に設定する第１の設定手段を有することを特徴とする請求項８から１０のいずれか１項に記載の画像形成装置。
【請求項１２】
ジョブの設定値を記憶する前記所定のタイミングを設定する第２の設定手段を有し、
前記記憶手段は、前記第２の設定手段により設定された所定のタイミングで、前記設定画面を介して設定されたジョブの設定値を記憶することを特徴とする請求項８から１１のいずれか１項に記載の画像形成装置。
【請求項１３】
前記所定のタイミングは、ジョブの開始時、他のアプリケーションへの画面遷移時、キャンセルキーの押下時、オートクリア時の少なくとも何れか１つであることを特徴とする請求項１２記載の画像形成装置。
【請求項１４】
前記複数のアプリケーションは、原稿上の画像を読み取ることにより生成された画像データに基づいて印刷を実行するコピーアプリケーションと、原稿上の画像を読み取ることにより生成された画像データを外部に送信する送信アプリケーションと、を少なくとも含むことを特徴とする請求項８から１３のいずれか１項に記載の画像形成装置。
【請求項１５】
複数のアプリケーションを実行可能な画像形成装置の制御方法であって、
前記複数のアプリケーションそれぞれのジョブの設定値を、ユーザの識別情報に対応づけて記憶する記憶工程と、
ユーザを認証する認証工程と、
前記複数のアプリケーションの中から１つのアプリケーションの選択を受け付ける選択工程と、
選択されたアプリケーションのジョブの設定値であって、認証されたユーザの識別情報に対応づけて記憶された設定値を読み出す読み出し工程と、
選択されたアプリケーションのジョブの設定を受け付けるための設定画面であって、読み出された設定値が反映された設定画面を表示するように制御する表示制御工程と、
を有することを特徴とする画像形成装置の制御方法。
【請求項１６】
画像形成装置の制御方法であって、
前記画像形成装置にログインしたユーザの操作に基づいて、複数のアプリケーションそれぞれのジョブの設定を受け付けるための設定画面を表示可能な表示制御工程と、
前記ユーザがログアウト前に最後に使用していたアプリケーションを示す情報を記憶すると共に、当該アプリケーションの前記設定画面を介して設定されたジョブの設定値を所定のタイミングで記憶する記憶工程と、を有し、
前記表示制御工程では、前記ユーザがログアウトした後、当該ユーザが再ログインした際に、記憶された情報に基づき、当該ユーザが前回のログアウト前に最後に使用していたアプリケーションのジョブの設定を受け付けるための設定画面であって、記憶されたジョブの設定値を反映した設定画面が表示されることを特徴とする画像形成装置の制御方法。
【請求項１７】
コンピュータを、請求項１から１４のいずれか１項に記載の画像形成装置として動作させるためのコンピュータプログラム。